(57)【要約】      （修正有）【課題】装置内部への電力供給が行われていない状態で、メカボタンなどを使用しないで、カメラを電源ＯＦＦ状態から起動する方法を提供する。【解決手段】カメラは圧電素子１０を具備し、ユーザーの加振によって発生する電力を、該ユーザーの保持することにより発生する静電容量を用いて整流し、倍電圧に増幅した電力をトリガとしてＣＰＵ５２を起動する。ＣＰＵ５２はラッチ信号を発生して電池２０からの電力をカメラに持続的に供給する。【選択図】図１
2013250827.tif 000002
【特許請求の範囲】
【請求項１】
装置内に圧電素子を具備し、装置を振動させることにより該圧電素子が発生させる交流電圧を整流し、該整流電圧による電力をトリガーとして電池からの電力を制御部に供給するカメラにおいて、ユーザが保持することにより発生する静電容量を利用し、前記整流手段の内の平滑手段とすることを特徴とするカメラ。
【請求項２】
前記圧電素子より発生した電力を用いて、倍電圧整流回路により増幅した電力を用いて、電池からの電力を制御部に供給するようにしたことを特徴とする請求項１に記載のカメラ。
【発明の詳細な説明】
【技術分野】
【０００１】
デジタルカメラなどの携帯機器の電源ＯＮ方法に関する。
【背景技術】
【０００２】
近年、デジタルカメラは手軽に写真が撮れるという点から、急速に普及している。その理由としては、小型、低価格という点はもちろんのこと、高機能、多機能であるという点が大きくある。
【０００３】
デジタルカメラは多くの機能を小さな筺体に備えている。したがって、操作手段を多く必要とするため、最近ではタッチパネルを採用し、多くの機能を割り当ている。
【０００４】
このため、タッチパネルは多くのメカボタン、或いはダイヤルスイッチなどの削減に寄与している。ズームスイッチ、シャッターボタンなどもタッチパネル上に配置することも可能である。
【０００５】
しかしながら、タッチパネルは電源供給されたのち動作する。従って、電源ＯＮボタンの機能は代用することができない。このため、電源ＯＮボタンの扱いが今後問題となってくる。
【０００６】
これらの問題に対して、以下の方策が提案されている。
【０００７】
特許文献１においては、圧電素子などを具備し、外部から圧力により、圧電素子が発電し、発電電力をトリガーとして、システムを電源ＯＦＦ状態から立ち上げる方法が開示されている。
【０００８】
また、特許文献２においては、加速度センサ等を有し、ユーザの動作を記憶し、加速度センサからの信号により、スタンバイ状態からの復帰、電源遮断などの動作を行っている。
【先行技術文献】
【特許文献】
【０００９】
【特許文献１】特開２００８-１６４８６６号公報
【特許文献２】特開２００７-１２８２６６号公報
【発明の概要】
【発明が解決しようとする課題】
【００１０】
しかし、特許文献１においては外部から与えられた振動により電源がＯＮするが、与えられた振動がユーザが意図したものかどうかの識別が不可能である。従って、ユーザが装置を持ち運ぶときに生じる振動により、ユーザが意図しないのに装置が電源ＯＮしてしまうという問題点が生じる。
【００１１】
また、特許文献２においては、加速度センサにより発生する信号により制御部がユーザの動作どうかを識別しているが、その識別のために、制御部に常時電力を供給しなければならず、電力消費が発生する。
【００１２】
したがって、厳密な意味で電源ＯＦＦ状態から起動ではない。
【課題を解決するための手段】
【００１３】
上記目的を達成するために、本発明は、装置内に圧電素子を具備し、装置を振動させることにより該圧電素子が発生させる交流電圧を整流し、該整流電圧による電力をトリガーとして電池からの電力を制御部に供給するカメラにおいて、ユーザが保持することにより発生する静電容量を利用し、前記整流手段の内の平滑手段とすることを特徴としている。
【発明の効果】
【００１４】
電源ボタンなしで、ユーザの意図した通りにカメラの電源をＯＮでき、ユーザの利便性が向上する。
【図面の簡単な説明】
【００１５】
【図１】本発明の第一の実施形態に係るカメラの回路図
【図２】本発明の第一の実施形態に係るユーザによる把持状態図
【図３】本発明の第一の実施形態に係るカメラ内部構成図
【図４】本発明の第一の実施形態に係るユーザ把持有無による波形図
【図５】本発明の第二の実施形態に係るカメラの回路図
【発明を実施するための形態】
【００１６】
［実施例１］
以下に、本発明の好ましい実施の形態を添付の図面、図１〜図４に基づいて詳細に説明する。
【００１７】
図１は、本発明を如実に表わす図であり、装置内に具備される電子回路である。
【００１８】
図１において、１０は圧電素子、１２はダイオード、１４は平滑用コンデンサ、１５はＮｃｈ-ＦＥＴである。また、２０はバッテリ、２１はダイオード、２３は抵抗、２４はＰｃｈ-ＦＥＴである。
【００１９】
また５０はバッテリからの電圧を複数の電圧に変換するＤＣＤＣコンバータ、５２は各部の制御を行うＣＰＵ、５４はダイオードである。
【００２０】
また、この他図には記されていないが、カメラの動作に必要なモータ、タッチパネル操作部、撮像素子、ＬＣＤなどがある。
【００２１】
以下、実際の動作に基づいて説明する。
【００２２】
図１において、カメラにユーザからの振動が与えられない場合、電池２０から出力がダイオード２１、抵抗２３を介してゲート端子に入力されているのでＰｃｈＦＥＴ２４はＯＦＦ状態である。従って、後段のＤＣＤＣコンバータ５０、ＣＰＵ５２には電力が供給されない。
【００２３】
一方、カメラ本体がユーザにより振動すると、それに伴い圧電素子が発電動作を行い、交流信号１１を出力する。整流用ダイオード１２は該交流信号１１を受け平滑用コンデンサ１４とともに、直流信号１３に変換する。直流信号１３はＮｃｈＦＥＴ１５のゲート端子に入力され、ＮｃｈＦＥＴ１５をＯＮさせる。ＮｃｈＦＥＴ１５がＯＮすると、ＰｃｈＦＥＴ２４のゲート電圧が引き下げられ、ＮｃｈＦＥＴのソース即ちＧＮＤレベルになる。そうすると、ＰｃｈＦＥＴ２４はＯＮし、ＤＣＤＣコンバータ５０に電力が供給される。ＤＣＤＣコンバータ５０は該電力を受けて、後段のＣＰＵ５２の動作に必要な電圧、例えば３．３Ｖの電圧５１を出力する。
【００２４】
ＣＰＵ５２は電圧５１を受けて起動し、システムのＯＮ状態を持続すべく、ラッチ信号５３を出力する。ラッチ信号５３はダイオード５３を介してＮｃｈＦＥＴ１５のゲート端子に入力され、ＮｃｈＦＥＴ１５のＯＮ状態を持続させる。
【００２５】
したがって、外部からの振動がなくても、カメラはＯＮ状態を持続する。
【００２６】
次に本例のポイントであるユーザが意図した振動であるかを識別する手段について図２、図３を用いて説明する。
【００２７】
図２はユーザによるカメラを把持している状態を示す図である。
【００２８】
１はカメラ全体であり、２はカメラ上部筺体部でありプラスチック製部材で構成される。４はカメラ下部筺体部であり、金属製部材で構成される。５はカメラ正面部のタッチパネル操作部であり、６０はユーザの指２本を示している。図２からわかるように、ユーザは２本の指でカメラ上部と下部を挟み込むようにして把持している。
【００２９】
図３はカメラ内部の構成を示した図である。
【００３０】
図３において、３はカメラ内部に備え付けられた内部金属片であり、図１におけるダイオード１２のカソードと接続されている。
【００３１】
同じように４は図１のＧＮＤと接続されている。
【００３２】
ここで図２のようにユーザによる把持がされると、内部金属板３と外部金属板４の間に静電容量つまりコンデンサ１４が発生する。この静電容量１４は図１におけるコンデンサ１４と同一のものである。
【００３３】
つまり、ユーザが把持することにより発生する静電容量を整流回路の平滑用コンデンサとして使用するものである。
【００３４】
さらに言うならば、ユーザによる把持てない場合、図１におけるコンデンサ１４が存在しないため、振動で発生した交流電圧が整流されないことになる。
【００３５】
図４にコンデンサ１４の有無によるそれぞれの波形を示す。
【００３６】
図４（ａ）はユーザの把持がない場合のＮｃｈＦＥＴ１５のゲート波形、図４（ｂ）はユーザの把持がある場合のＮｃｈＦＥＴ１５のゲート波形である。また、３０はＮｃｈＦＥＴがＯＮするのに必要な電圧である。
【００３７】
図４（ａ）からわかるようにユーザの把持がない場合、整流されないためゲート電圧が安定しない。したがって、ＮｃｈＦＥＴがＯＮせず、システムが立ち上がらない。
【００３８】
一方、図４（ｂ）からわかるようにユーザの把持がある場合、整流されるためゲート電圧が安定する。したがって、ＮｃｈＦＥＴがＯＮして、システムが立ち上がる。
【００３９】
このようにして、ユーザの把持による振動のみカメラシステムを立ち上げることが可能である。
【００４０】
［実施例２］
図５に本発明第二の実施例を示す。前実施例ではユーザが把持することによる静電容量を利用して、整流手段としていた。本実施例ではさらに改良しＮｃｈＦＥＴ１５のゲート電圧を高めるべく、前記発生静電容量を倍電圧整流回路の一部として利用するものである。
【００４１】
図５において、第一の実施例と共通する部分については同一の番号を割り振ってある。
【００４２】
本例では、第一の実施例と異なる点のみ説明する。
【００４３】
図５において、４１、４５、４７はコンデンサであり、４２、４４、４６、４８はダイオードである。また、１４はユーザが把持することにより発生するコンデンサである。周知のように、ここに示されるような倍電圧整流回路では４１、４２といったコンデンサ、ダイオードの組み合わせで入力交流電圧即ち１１をもとに、整流と増幅をおこなっていく。
【００４４】
例えば、ａ点で１Ｖとすると、ｂ点で２Ｖ、ｃ点で３Ｖとなり、１３には４Ｖの電圧が生成される。
【００４５】
一方、ユーザの把持がない場合、コンデンサ１４がないため、増幅が行われず、１３にはＮｃｈＦＥＴがＯＮするのに十分な電圧が発生しない。
【００４６】
このようにして、倍電圧整流回路を用いることにより、ユーザの把持かどうかを確実に識別できる。
【符号の説明】
【００４７】
１０‥‥圧電素子
１２、２１、５４‥‥ダイオード
５０‥‥ＣＤＣコンバータ
５２‥‥ＣＰＵ
１５‥‥ＮｃｈＦＥＴ
２４‥‥ＰｃｈＦＥＴ
２０‥‥電池
３‥‥内部金属板
４‥‥外部金属板
【図１】
2013250827.tif 000003
【図２】
2013250827.tif 000004
【図３】
2013250827.tif 000005
【図４】
2013250827.tif 000006
【図５】
2013250827.tif 000007